(57)【要約】      （修正有）【課題】電灯負荷の信頼性が高まり回路構成及び製造工程が簡素化される、環状磁心のない電流駆動式フィードバック型電子安定器を提供する。【解決手段】フィルタ及び整流回路１０と、スイッチ及び共振回路２０と、コンデンサを含む電灯負荷３０とを備える環状磁心のない電流駆動式フィードバック型安定器であって、フィルタ及び整流回路１０はその出力端がスイッチ及び共振回路２０の入力端に接続されるとともに、スイッチ及び共振回路２０はその出力端が電灯負荷３０に接続され、スイッチ及び共振回路２０は、抵抗器Ｒ１、Ｒ２と、コンデンサＣ３と、ダイオードＤ５と、トリガーダイオードＤＢ３よりなるトリガー回路と、トランジスタＱ１、Ｑ２と抵抗器よりなる半ブリッジ回路と、一次巻線Ｔ３と２つの二次巻線Ｔ１、Ｔ２よりなる三巻線変圧器Ｔとを備える。【選択図】図２
2008153198.tif 000002
【特許請求の範囲】
【請求項１】
環状磁心のない電流駆動式フィードバック型安定器であって、
フィルタ及び整流回路と、スイッチ及び共振回路と、コンデンサを含む電灯負荷とを備え、
前記フィルタ及び整流回路の出力端はスイッチ及び共振回路の入力端に接続されるとともに、
前記スイッチ及び共振回路の出力端は電灯負荷に接続され、スイッチ及び共振回路は、抵抗器Ｒ１、Ｒ２と、コンデンサＣ３と、ダイオードＤ５と、トリガーダイオードＤＢ３よりなり、その始動のためのパルス電流を供給するトリガー回路と、トランジスタＱ１、Ｑ２と抵抗器よりなる半ブリッジ回路と、一次巻線Ｔ３と２つの二次巻線Ｔ１、Ｔ２よりなる三巻線変圧器Ｔとを含み、トランジスタＱ１のエミッタは抵抗器Ｒ５を介してＱ２のコレクタと接続され、抵抗器Ｒ５とトランジスタＱ２のコレクタ間に結節点Ｓが位置し、トランジスタＱ１のコレクタと結節点Ｓとの間に抵抗器Ｒ１とコンデンサＣ２が並列に接続され、抵抗器Ｒ１の一端はフィルタ及び整流回路の端子３に接続され、他端は並列接続された抵抗器Ｒ２とダイオードＤ５及びこれらと直列接続されたコンデンサＣ３を介してフィルタ及び整流回路の端子１に接続され、ダイオードＤ５のアノードは双方向ダイオードＤＢ３を介しトランジスタＱ２のベースに接続され、カソードは結節点Ｓを通じ二次巻線Ｔ１の端子４と一次巻線Ｔ３の端子１に接続され、トランジスタＱ１のベースは抵抗器Ｒ３を通じ二次巻線Ｔ１の端子３に接続されてトランジスタＱ２のベースは抵抗器Ｒ４を通じ二次巻線Ｔ２の端子６に接続され、トランジスタＱ２のエミッタは抵抗器Ｒ６を通じ二次巻線Ｔ２の端子５に接続される一方、二次巻線Ｔ２の端子５がフィルタ及び整流回路の端子１と接続されることによって二次巻線Ｔ１、Ｔ２がトランジスタＱ１、Ｑ２に駆動電流を供給させ、一次巻線Ｔ３の端子が電灯負荷とコンデンサＣ５に接続されて一次巻線Ｔ３とコンデンサＣ５が直列共振を構成させることを特徴とする環状磁心のない電流駆動式フィードバック型安定器。
【請求項２】
前記スイッチ及び共振回路は共振コンデンサＣ６をさらに備え、該共振コンデンサの一端は二次巻線Ｔ１の端子２と接続され、他端は二次巻線Ｔ２の端子５と接続されることを特徴とする請求項１に記載の環状磁心のない電流駆動式フィードバック型安定器。
【請求項３】
前記フィルタ及び整流回路はフルブリッジ整流回路であり、ブリッジ整流器と、両者が並列接続されたインダクタ及び抵抗器を含むフィルタと、さらにブリッジ整流器の端子１、３に接続された電解コンデンサＣ１とを備え、フィルタの一端がヒューズを介して商用ＡＣ電源と接続されるとともに他端がブリッジ整流器の端子４と接続されることを特徴とする請求項１に記載の環状磁心のない電流駆動式フィードバック型安定器。
【請求項４】
前記フィルタ及び整流回路が倍電圧整流回路を示すことを特徴とする請求項１に記載の環状磁心のない電流駆動式フィードバック型安定器。
【請求項５】
力率補正回路をさらに備え、その入力端がフィルタ及び整流回路の出力端と接続され、出力端がスイッチ及び共振回路の入力端と接続されることを特徴とする請求項１又は２に記載の環状磁心のない電流駆動式フィードバック型安定器。
【請求項６】
前記力率補正回路は、ＭＯＳＦＥＴ  ＶＴ１と、ブースタインダクタＬと、ブースタダイオードＶＤと、出力コンデンサＣ０と、ＡＰＦＣコントローラ集積回路とを備え、ブースタインダクタＬの一端がブリッジ整流器の端子３に接続され、他端がブースタダイオードＶＤを通じトランジスタＱ１のコレクタに接続され、ブースタダイオードＶＤのカソードが出力コンデンサＣ０を介してブリッジ整流器の端子１と接続され、ブースタダイオードＶＤのアノードがＭＯＳＦＥＴ  ＶＴ１を介してブリッジ整流器の端子１と接続されるとともに、ＭＯＳＦＥＴ  ＶＴ１のゲートがＡＰＦＣコントローラに接続されていることを特徴とする請求項５に記載の環状磁心のない電流駆動式フィードバック型安定器。
【請求項７】
前記電灯負荷はランプ管とコンデンサＣ４、Ｃ５とを備え、前記ランプ管の両端にはそれぞれ２つの接続ポイントａ、ｂ及びａ'、ｂ'が設けられ、ランプ管と並列に接続されたコンデンサＣ５の両端がそれぞれ接続ポイントｂ、ｂ'に接続され、前記ランプ管の他の接続ポイントａ'が三巻線変圧器の端子２に接続されるとともに、ランプ管の他の接続ポイントａがコンデンサＣ４を介してトランジスタＱ１のコレクタと接続されることを特徴とする請求項１に記載の環状磁心のない電流駆動式フィードバック型安定器。
【請求項８】
前記ランプ管と並列接続されているコンデンサＣ５がさらにＰＴＣ予備加熱装置と並列接続されていることを特徴とする請求項７に記載の環状磁心のない電流駆動式フィードバック型安定器。
【請求項９】
前記三巻線変圧器の一次巻線と二次巻線との巻数比が３０：１から４００：１の範囲にあることを特徴とする請求項１に記載の環状磁心のない電流駆動式フィードバック型安定器。
【請求項１０】
抵抗器Ｒ５、Ｒ６の抵抗値が等しいことを特徴とする請求項１に記載の環状磁心のない電流駆動式フィードバック型安定器。
【発明の詳細な説明】
【技術分野】
【０００１】
本発明は安定器に関し、より詳しくは、環状磁心のない電流駆動式フィードバック型安定器に関する。
【背景技術】
【０００２】
通常市販で入手可能なほとんどの統合型電子安定器は、ＥＭＩフィルタ、整流器、インバータ及び電灯負荷よりなる。インバータは整流された直流電圧を高周波電圧に変換し、蛍光ランプを駆動及び点灯するのに使用されるが、半ブリッジインバータ、フライバックインバータ、プッシュプルインバータなどの各種のインバータがあり、通常環状変圧器と共に実現される。
【発明の開示】
【発明が解決しようとする課題】
【０００３】
しかしながら、環状変圧器を使用することには以下のような不利益がある。
【０００４】
回路中のトランジスタのオン・オフは環状変圧器により駆動されるが、外部電源が変動（上昇及び下降）すると、トランジスタが激しく加熱されたりさらに過熱により破壊されたりというように、駆動電圧の変化、不足励磁又は過励磁が発生して、電灯負荷の信頼性が低下する。
【０００５】
環状磁心の処理及び巻回には手間と時間がかかり、その量産のさまたげとなる。回路の作動周波数が環状磁心のパラメータと温度に多大に影響され、所定の範囲内に保つことが困難になる。作動周波数の範囲に更なる要件があると、量産を実施することは困難になる。
【０００６】
環状磁心の電子安定器に対する影響を最小限にするため、中国科学院の中国実用新案特許出願説明書ＣＮ，Ｙ，９９２１１３６３．６に「環状磁心のない安定器を有する省エネルギーランプ」が開示されており、省エネルギーランプの半ブリッジ電力増幅器はＦＥＴで実現されているが、ＦＥＴの製造工程は比較的複雑でその選択性は比較的劣っている。さらに、省エネルギーランプの駆動電流リミッターは負荷変圧器で実現されるので、駆動電流リミッターはインダクタＬ１、Ｌ２及びコンデンサＣ１、Ｃ２（図１参照）と接続しなければならず、これは回路の複雑化とコストの上昇につながり電子安定器の小型化に悪影響をもたらす。
【０００７】
本発明の目的は、環状磁心のない電流駆動式フィードバック型電子安定器を提供することで上記欠点を克服することであり、該電子安定器のスイッチと整流回路がトランジスタ半ブリッジ回路と誘導変圧器を採用することで駆動フィードバックを実現し、更に電子安定器の小型化を容易にすることである。
【課題を解決するための手段】
【０００８】
そこで、上記目的に提供された本発明の技術的解決は、環状磁心のない電流駆動式フィードバック型安定器であって、フィルタ及び整流回路と、スイッチ及び共振回路と、コンデンサを含む電灯負荷とを備え、前記フィルタ及び整流回路の出力端はスイッチ及び共振回路の入力端に接続されるとともに、前記スイッチ及び共振回路の出力端は電灯負荷に接続され、スイッチ及び共振回路は、抵抗器Ｒ１、Ｒ２と、コンデンサＣ３と、ダイオードＤ５と、トリガーダイオードＤＢ３よりなり、その始動のためのパルス電流を供給するトリガー回路と、トランジスタＱ１、Ｑ２と抵抗器よりなる半ブリッジ回路と、一次巻線Ｔ３と２つの二次巻線Ｔ１、Ｔ２よりなる三巻線変圧器Ｔとを含み、トランジスタＱ１のエミッタは抵抗器Ｒ５を介してＱ２のコレクタと接続され、抵抗器Ｒ５とトランジスタＱ２のコレクタ間に結節点Ｓが位置し、トランジスタＱ１のコレクタと結節点Ｓとの間に抵抗器Ｒ１とコンデンサＣ２が並列に接続され、抵抗器Ｒ１の一端はフィルタ及び整流回路の端子３に接続され、他端は並列接続された抵抗器Ｒ２とダイオードＤ５及びこれらと直列接続されたコンデンサＣ３を介してフィルタ及び整流回路の端子１に接続され、ダイオードＤ５のアノードは双方向ダイオードＤＢ３を介しトランジスタＱ２のベースに接続され、カソードは結節点Ｓを通じ二次巻線Ｔ１の端子４と一次巻線Ｔ３の端子１に接続され、トランジスタＱ１のベースは抵抗器Ｒ３を通じ二次巻線Ｔ１の端子３に接続されてトランジスタＱ２のベースは抵抗器Ｒ４を通じ二次巻線Ｔ２の端子６に接続され、トランジスタＱ２のエミッタは抵抗器Ｒ６を通じ二次巻線Ｔ２の端子５に接続される一方、二次巻線Ｔ２の端子５がフィルタ及び整流回路の端子１と接続されることによって二次巻線Ｔ１、Ｔ２がトランジスタＱ１、Ｑ２に駆動電流を供給させ、一次巻線Ｔ３の端子が電灯負荷とコンデンサＣ５に接続されて一次巻線Ｔ３とコンデンサＣ５が直列共振を構成させる。
【０００９】
上記環状磁心のない電流駆動式フィードバック型安定器において、前記スイッチ及び共振回路は共振コンデンサＣ６をさらに備え、該共振コンデンサの一端は二次巻線Ｔ１の端子２と接続され、他端は二次巻線Ｔ２の端子５と接続される。
【００１０】
上記環状磁心のない電流駆動式フィードバック型安定器において、前記フィルタ及び整流回路はフルブリッジ整流回路であり、ブリッジ整流器と、両者が並列接続されたインダクタ及び抵抗器を含むフィルタと、さらにブリッジ整流器の端子１、３に接続された電解コンデンサＣ１とを備え、フィルタの一端がヒューズを介して商用ＡＣ電源と接続されるとともに他端がブリッジ整流器の端子４と接続される。
【００１１】
上記環状磁心のない電流駆動式フィードバック型安定器において、前記フィルタ及び整流回路は、その整流回路として倍電圧整流回路を備える。
【００１２】
上記環状磁心のない電流駆動式フィードバック型安定器は、力率補正回路をさらに備え、その入力端がフィルタ及び整流回路の出力端と接続され、出力端がスイッチ及び共振回路の入力端と接続される。
【００１３】
上記環状磁心のない電流駆動式フィードバック型安定器において、前記力率補正回路は、ＭＯＳＦＥＴ  ＶＴ１と、ブースタインダクタＬと、ブースタダイオードＶＤと、出力コンデンサＣ０と、ＡＰＦＣコントローラ集積回路とを備え、ブースタインダクタＬの一端がブリッジ整流器の端子３に接続され、他端がブースタダイオードＶＤを通じトランジスタＱ１のコレクタに接続され、ブースタダイオードＶＤのカソードが出力コンデンサＣ０を介してブリッジ整流器の端子１と接続され、ブースタダイオードＶＤのアノードがＭＯＳＦＥＴ  ＶＴ１を介してブリッジ整流器の端子１と接続されるとともに、ＭＯＳＦＥＴ  ＶＴ１のゲートがＡＰＦＣに接続されている。
【００１４】
上記環状磁心のない電流駆動式フィードバック型安定器において、前記電灯負荷はランプ管とコンデンサＣ４、Ｃ５とを備え、前記ランプ管の両端にはそれぞれ２つの接続ポイントａ、ｂ及びａ'、ｂ'が設けられ、ランプ管と並列に接続されたコンデンサC５がランプ管両端の一接続ポイントｂ、ｂ'に接続され、前記ランプ管一端の他の接続ポイントａ'が三巻線変圧器の端子２に接続されるとともに、ランプ管他端の他の接続ポイントａがコンデンサＣ４を介してトランジスタＱ１のコレクタに接続される。
【００１５】
上記環状磁心のない電流駆動式フィードバック型安定器において、前記ランプ管と並列接続されているコンデンサＣ５がさらにＰＴＣ予備加熱装置と並列接続されている。
【００１６】
上記環状磁心のない電流駆動式フィードバック型安定器において、前記三巻線変圧器の一次巻線と二次巻線との巻数比が３０：１から４００：１の範囲にある。
【００１７】
上記環状磁心のない電流駆動式フィードバック型安定器において、抵抗器Ｒ５、Ｒ６の抵抗値が等しい。
【発明の効果】
【００１８】
本発明は環状磁心のない電流駆動式フィードバック型安定器を提供するが、これはフィルタ及び整流回路と、スイッチ及び共振回路と、電灯負荷とを備える。その中でもフィルタ回路は導通により発生する電磁干渉を除去するために使用され、整流回路はＡＣ電圧をＤＣリプル電圧に変換し、変圧器の二次巻線フィードバックはトランジスタに駆動電流を供給してスイッチ及び共振回路のスイッチ発振を生じさせ、変圧器の一次巻線Ｔとフィラメント静電容量はＬＣ発振回路を形成してランプ管を点灯させる。安定器のスイッチ及び共振回路のトランジスタ半ブリッジ回路が、環状磁心フィードバックの代わりに三巻線変圧器フィードバックを採用してトランジスタを駆動し発振を生じさせるので、安定器は環状磁心のない利点を有するとともに、回路構成及び製造工程が簡素化されて電灯負荷の信頼性が高まる。
【発明を実施するための最良の形態】
【００１９】
本発明の環状磁心のない電流駆動式フィードバック型安定器のさらなる詳細を以下の添付図面を参照して説明する。
【実施例】
【００２０】
図２を参照すると、本発明の第１実施形態に係る環状磁心のない電流駆動式フィードバック型安定器が図示されており、フィルタ及び整流回路１０と、スイッチ及び共振回路２０と、コンデンサを有する電灯負荷３０とを備えているが、以下にその詳細を述べる。
【００２１】
フィルタ及び整流回路１０は、その出力端がスイッチ及び共振回路２０の入力端に接続され、さらにＡＣ電源に接続されてその電磁干渉をフィルタで除去した後入力ＡＣ電圧をＤＣリプル電圧に変換する。この実施形態において、フィルタ及び整流回路１０は、ブリッジ整流器（Ｄ１〜Ｄ４）と、並列接続されたインダクタＬ０と抵抗器Ｒ０よりなるフィルタと、ブリッジ整流器の端子１、３に接続された電解コンデンサＣ１とを備えるフルブリッジ整流回路である。フィルタは一端がヒューズＦＵ抵抗器を介してＡＣ電源と接続される一方、他端がブリッジ整流器の端子４と接続される。
【００２２】
スイッチ及び共振回路２０はその出力端を電灯負荷３０に接続され、抵抗器Ｒ１、Ｒ２、コンデンサＣ３、ダイオードＤ５、トリガーダイオードＤＢ３よりなり、スイッチ及び共振回路２０を始動するためのパルス電流を供給するトリガー回路と、トランジスタＱ１、Ｑ２と抵抗器からなり電力スイッチとして動作する半ブリッジ回路と、一次巻線Ｔ３と２つの二次巻線Ｔ１、Ｔ２よりなる三巻線変圧器Ｔとを含み、一次巻線Ｔ３はチョーキング効果も有する。好ましくは、三巻線変圧器の一次巻線と二次巻線間の巻線比は３０：１から４００：１の範囲にあるとよい。スイッチ及び共振回路２０において、トランジスタＱ１のエミッタは抵抗器Ｒ５を介してＱ２のコレクタと接続され、抵抗器Ｒ５とトランジスタＱ２のコレクタ間に結節点Ｓが位置し、トランジスタＱ１のコレクタと結節点Ｓとの間に抵抗器Ｒ１とコンデンサＣ２が並列に接続され、抵抗器Ｒ１は、その一端がフィルタ及び整流回路１０の整流器の端子３に接続され、その他端が並列接続された抵抗器Ｒ２とダイオードＤ５及びこれらと直列接続されたコンデンサＣ３を介してフィルタ及び整流回路１０の整流器の端子１に接続され、ダイオードＤ５は、そのアノードが双方向ダイオードＤＢ３を介してトランジスタＱ２のベースに接続され、そのカソードが結節点Ｓを通じ二次巻線Ｔ１の端子４と一次巻線Ｔ３の端子１に接続され、トランジスタＱ１のベースは抵抗器Ｒ３を通じ二次巻線Ｔ１の端子３に接続され、トランジスタＱ２のベースは抵抗器Ｒ４を通じ二次巻線Ｔ２の端子６に接続され、トランジスタＱ２のエミッタは抵抗器Ｒ６を通じ二次巻線Ｔ２の端子５に接続される一方、二次巻線Ｔ２の端子５がフィルタ及び整流回路１０の整流器の端子１と接続することによって二次巻線Ｔ１、Ｔ２がトランジスタＱ１、Ｑ２に駆動電流を供給するのを可能にし、一次巻線Ｔ３の端子２が電灯負荷３０とコンデンサＣ５に接続されて一次巻線Ｔ３とコンデンサＣ５が直列共振を形成するのを可能にする。
【００２３】
電灯負荷３０はランプ管とコンデンサＣ４、Ｃ５を備えるが、コンデンサＣ４はＤＣ阻止に使用される。ランプ管の両端には２つの接続ポイントａ、ｂ、ａ'、ｂ'がそれぞれ設けられてランプ管と並列接続されているコンデンサＣ５がランプ管両端における接続ポイントの一つｂ、ｂ'に接続され、ランプ管一端の他の接続ポイントａ'が一次巻線Ｔ３の端子２と接続される一方、ランプ管他端の他の接続ポイントａがコンデンサＣ４を介してトランジスタＱ１のコレクタと接続される。一好適実施形態によれば、コンデンサＣ５がさらにＰＴＣ予備加熱装置と並列接続されている。
【００２４】
図３を参照すると、本発明の第２実施形態に係る環状磁心のない電流駆動式フィードバック型安定器が図示されており、この安定器は第１実施形態の回路全体を含んでいるが、スイッチ及び共振回路は共振コンデンサＣ６をさらに備え、共振コンデンサの一端は二次巻線Ｔ３の端子２と接続され、他端は二次巻線Ｔ２の端子５と接続されている。
【００２５】
図４を参照すると、本発明の第３実施形態に係る環状磁心のない電流駆動式フィードバック型安定器が図示されているが、本実施形態のスイッチ及び共振回路２０と電灯負荷３０は第１実施形態と同様である。しかしながら、本実施形態のフィルタ及び整流回路１０における整流回路は、２つのダイオードと２つのコンデンサで形成される倍電圧整流回路である。
【００２６】
図５を参照すると、本発明の第４実施形態に係る環状磁心のない電流駆動式フィードバック型安定器が図解されており、この安定器は第３実施形態の回路全体を含んでいるが、スイッチ及び共振回路２０は共振コンデンサＣ６をさらに備え、第２実施形態と同様にこれに接続されている。
【００２７】
図６を参照すると、本発明の第５実施形態に係る環状磁心のない電流駆動式フィードバック型安定器が図示されているが、これは第１実施形態の回路全体を含んでいる外に、力率補正回路４０をさらに備える。任意の力率補正回路４０を配置する必要性は、環状磁心のない電流駆動式フィードバック型安定器により得ようとする電力によって決まることに留意すべきである。この回路４０は、その入力端がフィルタ及び整流回路１０の出力端に接続され、その出力端がスイッチ及び共振回路２０の入力端に接続される。力率補正回路４０はＭＯＳＦＥＴ  ＶＴ１と、ブースタインダクタＬと、ブースタダイオードＶＤと、出力コンデンサＣ０と、ＡＰＦＣコントローラ集積回路とを備える。ブースタインダクタＬはブリッジ整流器の端子３に一端を接続され、他端をブースタダイオードＶＤを通じトランジスタＱ１のコレクタに接続される。ブースタダイオードＶＤは、そのカソードが出力コンデンサＣ０を介してブリッジ整流器の端子１と接続され、また、ＭＯＳＦＥＴ  ＶＴ１を介しブリッジ整流器の端子１と接続される一方、ＭＯＳＦＥＴ  ＶＴ１のゲートはＡＰＦＣに接続される。
【００２８】
図７を参照すると、本発明の第６実施形態に係る環状磁心のない電流駆動式フィードバック型安定器が図示されており、この安定器は第５実施形態の回路全体を含んでいるが、スイッチ及び共振回路２０は共振コンデンサＣ６をさらに備え、第２実施形態と同様にこれに接続されている。
【００２９】
図８を参照すると、本発明の第７実施形態に係る環状磁心のない電流駆動式フィードバック型安定器が図示されており、この安定器は第３実施形態の回路全体を含んでいるが、力率補正回路４０をさらに備え、第５実施形態と同様にこれに接続されている。
【００３０】
図９を参照すると、本発明の第８実施形態に係る環状磁心のない電流駆動式フィードバック型安定器が図示されており、この安定器は第７実施形態の回路全体を含んでいるが、スイッチ及び共振回路２０は共振コンデンサＣ６をさらに備え、第２実施形態と同様にこれに接続されている。
【００３１】
本発明の動作原理は以下のとおりである。電源との接続後、ＤＣ電圧からの電流は、トリガー回路の抵抗器Ｒ１、Ｒ２を通過した後積分コンデンサＣ３を充電し、その電圧がトリガーダイオードＤＢ３のブレークダウン電圧（約３０〜４０Ｖ）に達するか超えると、電流がトランジスタＱ２のベースへ流れてＱ２をオンにするようにトリガーダイオードは逆方向に導通する。トランジスタＱ２のコレクタ電流が増加するにつれ、Ｑ２のベース電位が上昇するように誘導起電力が変圧器の一次巻線Ｔ３と二次巻線Ｔ１、Ｔ２に発生し（・印を付した端は正極を表す）、それによりそのベース電流及びコレクタ電流がさらに増加して、さらにＱ２のベース電位を上昇させる。この点で、連鎖反応が回路内に起こり、このような連鎖正帰還がＱ２を通電及び飽和させる。Ｑ２のエミッタにある抵抗器Ｒ６は負の電流帰還を発生させるために設けられ、連鎖反応の工程において、ベース電流の増加がＲ６における電圧降下を増加させて電圧降下の増加分がＱ２のベース−エミッタのループへ帰還され、これによりＱ２のベース−エミッタに外部から印加される電圧は減少し、ベース電流もまた自動的に減少して、これがコレクタ電流の増加を抑制する。エミッタにある抵抗器Ｒ６の抵抗を増加させれば、作動周波数を増加させることができるようにその負帰還作用が高まる。
【００３２】
トランジスタＱ２がオンになった後、トランジスタＱ２を通過するコレクタ電流の増加に伴い、変圧器の二次巻線Ｔ２における電圧がトランジスタＱ２のベース電圧よりも降下する可能性が生じ、ベース電流が反転するようになり、これによりトランジスタＱ２は飽和モードを中止して増幅モードとなる。一旦増幅モードになると、トランジスタＱ２のコレクタを流れる電流の減少により、変圧器の正帰還を通してベース電流を減少させ、コレクタ電流をさらに減少させ、Ｑ２はすぐにカットオフモードになるが、その一方で、変圧器の二次巻線Ｔ１における電圧の極性が変化する（ここで端子３は正で端子４は負である）。一定期間の遅延後、電流がトランジスタＱ１に発生し、変圧器はＱ２のコレクタ電流の増加時に発生したのとは反対の誘導起電力を発生させ、Ｑ１のベース及びコレクタ電流がさらに増加して、Ｑ１が遮断状態からオン状態へすぐに変化する。Ｑ１のエミッタの抵抗器Ｒ５もまた負電流帰還を発生させるために設けられ、その動作原理はＲ６と同様であり、抵抗器Ｒ５、Ｒ６の抵抗値は同じである。
【００３３】
上記過程は周期的に動き、Ｑ１とＱ２は交互にオンとオフに切り替わる。２つの半ブリッジ間の中点においては交流方形波電圧が形成される。この交流電圧はコンデンサＣ５を通過し、変圧器の一次巻線Ｔ３から直列共振の動作の影響を受けると、交流電圧の波形が変化して正弦波に近づいてくるために非常に高い電圧がＣ５に発生して、ランプ管に印加され点灯する。
【００３４】
当然のことながら、上記は説明として提供されているに過ぎず、本発明の技術的解決策を制限するものではない。上記実施形態に関して本発明を詳細に記載したが、当業者は本発明とその請求項の精神と範囲を超えることなく、種々の変更、追加、又は削除を行い、またその要素の同等物を代用してもよく、また、当然のことながらそのような全ての変更及び／又は修正は本発明の範囲に含まれる。
【図面の簡単な説明】
【００３５】
【図１】図１は従来技術の安定器の回路図である。
【図２】図２は本発明の第１実施形態に係る環状磁心のない電流駆動式フィードバック型安定器の回路構成図である。
【図３】図３は本発明の第２実施形態に係る環状磁心のない電流駆動式フィードバック型安定器の回路構成図である。
【図４】図４は本発明の第３実施形態に係る環状磁心のない電流駆動式フィードバック型安定器の回路構成図である。
【図５】図５は本発明の第４実施形態に係る環状磁心のない電流駆動式フィードバック型安定器の回路構成図である。
【図６】図６は本発明の第５実施形態に係る環状磁心のない電流駆動式フィードバック型安定器の回路構成図である。
【図７】図７は本発明の第６実施形態に係る環状磁心のない電流駆動式フィードバック型安定器の回路構成図である。
【図８】図８は本発明の第７実施形態に係る環状磁心のない電流駆動式フィードバック型安定器の回路構成図である。
【図９】図９は本発明の第８実施形態に係る環状磁心のない電流駆動式フィードバック型安定器の回路構成図である。
【図１】
2008153198.tif 000003
【図２】
2008153198.tif 000004
【図３】
2008153198.tif 000005
【図４】
2008153198.tif 000006
【図５】
2008153198.tif 000007
【図６】
2008153198.tif 000008
【図７】
2008153198.tif 000009
【図８】
2008153198.tif 000010
【図９】
2008153198.tif 000011
【外国語明細書】
2008153198.tif 000012
2008153198.tif 000013
2008153198.tif 000014
2008153198.tif 000015
2008153198.tif 000016
2008153198.tif 000017
2008153198.tif 000018
2008153198.tif 000019
2008153198.tif 000020
2008153198.tif 000021
2008153198.tif 000022
2008153198.tif 000023
2008153198.tif 000024
2008153198.tif 000025
2008153198.tif 000026
2008153198.tif 000027
2008153198.tif 000028
2008153198.tif 000029
2008153198.tif 000030
2008153198.tif 000031
2008153198.tif 000032
2008153198.tif 000033
2008153198.tif 000034
2008153198.tif 000035
2008153198.tif 000036
2008153198.tif 000037
2008153198.tif 000038